(57)【要約】      （修正有）【課題】肥料の溶解度を効果的に高めた植物養分用注入袋を提供する。【解決手段】植物養分用注入袋は液注入孔１１と、収容部３と、少なくとも一つの液排出孔２１を有する。上袋部１は注入袋の一方に設けられ、液注入孔１１を有する。下袋部２は注入袋の上袋部１に対するまた一方に設けられ、下袋部１と上袋部２とが各側のリップ縁に沿って密封される。下袋部２は少なくとも一つの液排出孔２１を有する。該上袋部１と下袋部２により収容部３が形成される。これにより、収容部３は肥料を収容することに用いられ、肥料を溶解するため、液注入孔１１から該収容部３内に水を注入して肥料を溶解するようにし、液排出孔２１により溶解した肥料を排出することにより肥料を放出する。【選択図】図２
0003143295.tif 000002
【実用新案登録請求の範囲】
【請求項１】
植物養分用注入袋であって、
液体を注入する液注入孔を有し、前記植物養分用注入袋の一方に設けられる上袋部と、
前記植物養分用注入袋の前記上袋部に対するまた一方に設けられ、前記上袋部と互いに各側のリップ縁に沿って密封される下袋部と、
前記上袋部と前記下袋部との間に形成され、肥料を収容する収容部と、
下袋部に設けられ、溶解された肥料を含む液体を排出する少なくとも一つの液排出孔とを含むことを特徴とする植物養分用注入袋。
【請求項２】
前記植物養分用注入袋は、さらに、前記上袋部と前記下袋部の何れかに設けられる開口を含むことを特徴とする請求項１記載の植物養分用注入袋。
【請求項３】
前記植物養分用注入袋は、さらに、寸法が前記液注入孔の寸法より小さくて、前記液注入孔との間に間隙を形成する蓋部とを含むことを特徴とする請求項１記載の植物養分用注入袋。
【請求項４】
前記植物養分用注入袋は、さらに、一方が前記蓋部に結合され、また一方が前記液体注入孔の周りに結合する支持部を含むことを特徴とする請求項１記載の植物養分用注入袋。
【請求項５】
前記支持部は、自動復位ができる蝶番部であることを特徴とする請求項４記載の植物養分用注入袋。
【請求項６】
前記植物養分用注入袋は、さらに、寸法が前記液注入孔の寸法より大きく形成され、リップ縁と前記液注入孔のリップ縁とが貼設されることにより前記液体注入孔を完全的に被覆し、且つ前記収容部の内部に設けられる網を含むことを特徴とする請求項１記載の植物養分用注入袋。
【請求項７】
前記液排出孔が前記下袋部の角隅に設けられることを特徴とする請求項１記載の植物養分用注入袋。
【請求項８】
前記液注入孔は、前記上袋部の角隅に前記液排出孔と対角関係で設けられることを特徴とする請求項１記載の植物養分用注入袋。
【請求項９】
前記液排出孔は、平均的に前記下袋部に設けられることを特徴とする請求項１記載の植物養分用注入袋。
【請求項１０】
前記液注入孔は、前記液排出孔の位置に対し、前記上袋部の中央に設けられることを特徴とする請求項９記載の植物養分用注入袋。
【考案の詳細な説明】
【技術分野】
【０００１】
本考案は、植物養分用注入袋に関し、特にこの収容部に肥料を収容し、さらに注入袋に設けられる液注入孔から液体を注入することにより肥料を溶解し、少なくとも一つの液排出孔から収容部で溶解した肥料を排出することができる植物養分用注入袋に関する。
【背景技術】
【０００２】
従来の農作物の栽培方法としては、先ず鉢またはその他の器を利用して苗を育て、農作物が一定の程度まで生長した後、再び植える場所に移植するのが常である。その他に、鉢で栽培する花草も、環境の美化や景観造りに利用されている。このように、花草が所定の時間内において豊かな外観を有するように生長するまで適当に施肥しなければならない。しかし、図１を参照すると、従来の鉢における施肥の方式においては、肥料９を土壌に埋め込む時、肥料９は化学の反応により土壌の温度が高くなり、花草の生長に影響を及ぼしてしまうのを避けるために、肥料９を直接花草の周囲の土壌の表面にばら撒いてから、再び水を撒いて肥料９を溶解して土壌の中に滲み込ませ、花草の根茎部から肥料９の養分を吸収させるようにとしたものがある。
【０００３】
上記のような従来の植物養分注入方式においては、実際に使用すると、下記の欠点を有している。例えば、ａ)鉢は環境の美化と景観造りに利用されているため、鉢の内の土壌表面の肥料９は環境の全体の美観に影響を及ぼしてしまう。ｂ)肥料９に蚊や虫がわき易いため、環境衛生の品質が低くなる。ｃ)肥料９から生じる異臭により環境の品質と生活の快適さが悪くなる。ｄ)肥料９は土壌の表面のみに撒き、そして水を撒く時、液体は肥料９を充分に溶解していない状態で土壌に滲み込んでしまうため、花草は充分に養分を吸収することができないなどの欠点を有している。このように、上記のような従来の植物養分注入方式をさらに改良しなければならない。
【０００４】
本考案はこのような問題点に鑑みて考案したものであって、その目的とするところは、注入袋部に肥料を充填し、注入袋部の上袋部に少なくとも一つの液注入孔を設けることにより、液体を上記注入袋部に注入し、肥料を溶解し、少なくとも一つの液排出孔により溶解した肥料を注入袋から排出することにより、鉢に滲み込ませることができるため、肥料の溶解度を効果的に高め、確実に環境衛生の品質を改良することになる。
【考案の開示】
【考案が解決しようとする課題】
【０００５】
この考案は上記従来の問題を解決するため、液注入孔と、収容部と、液排出孔とを設けることにより、肥料を溶解した後、液排出孔により排出する。肥料の溶解度を効果的に高めることができる。
【０００６】
なお、植物養分用注入袋の液注入孔と収容部の間に網を設け、前記網により蚊や虫が収容部に侵入するのを防止し、確実に環境衛生の品質を改良することができる。
【課題を解決するための手段】
【０００７】
本考案の植物養分用注入袋は、液注入孔と、収容部と、少なくとも一つの液排出孔とを含む。前記上袋部は、注入袋の一方に設けられ、また液注入孔を有する。前記下袋部は、前記注入袋の前記上袋部に対するまた一方に設けられ、前記下袋部と上袋部と互いに各側のリップ縁に沿って密封され、前記下袋部は少なくとも一つの液排出孔を有する。収容部は、前記上袋部と下袋部との間に形成される。これにより、前記収容部は肥料を収容するようにに用いられ、前記肥料を溶解するため、前記液注入孔から前記収容部内に水を注入し、前記液排出孔により溶解した肥料を排出することで施肥する。
【考案を実施するための最良の形態】
【０００８】
本考案の前記目的と特徴及び利点を説明するため、以下の実施例を代表例として、図面を参照しながら詳しく説明する。
図２と図３に示すように、本考案の実施例１の植物養分用注入袋は、上袋部１と、下袋部２と、収容部３とを含む。前記上袋部１は注入袋の一方に設けられ、下袋部２は注入袋の上袋部１に対するまた一方に設けられる。下袋部１と上袋部２と互いに各側のリップ縁に沿って密封することで、上袋部１と下袋部２との間に収容部３を形成し、更に肥料５を収容部３の内部に収容する。なお、注入袋の上袋部１と下袋部２の何れかに開口(図示せず)を設けてジップロック袋のようを使用し、使用者はジップロック袋を使用するように肥料５を重複充填して使用することが出来るので、リサイクルすることが出来る。なお、肥料５は植物養分用注入袋に注入されるため、異臭が生ずるのを避けることが出来、効果的に環境衛生問題を改良することが出来る。
【０００９】
図２及び図３を参照すると、本考案の実施例１の植物養分用注入袋の上袋部１は、液注入孔１１と、蓋部１２と、支持部１３及び網１４が設けられている。上袋部１を貫通する液注入孔１１は、収容部３と外部とを連通する役割を起きる。又、液注入孔１１は上袋部１の角隅に設けられる。
【００１０】
なお、本考案の実施例１の植物養分用注入袋の蓋部１２は、其の寸法が液注入孔１１の寸法より小さくなるように形成し、液注入孔１１との間に間隙を形成する。支持部１３の一端に蓋部１２が結合し、支持部１３のもう一端に液注入孔１１の周りが結合されている。支持部１３は使用上の必要に応じて各種の形状から選択することができる。本考案の実施例１において、支持部１３は自動復位ができる蝶番部からなる。手動で蓋部１２を開けた後、一旦蓋部１２を手離すと、蓋部１２は支持部１３の弾力により自動的に液注入孔１１を密封することができる。
【００１１】
なお、本考案の実施例１の植物養分用注入袋の網１４は、その寸法が液注入孔１１の寸法より大きく形成され、また、網１４のリップ縁と液注入孔１１のリップ縁とが貼設されることにより、液体注入孔１１を完全的に被覆し、且つ網１４は収容部３の内部に設けられることにより、さらに蚊や虫などが収容部３に不意に侵入するのを避ける。
【００１２】
なお、本考案の実施例１の植物養分用注入袋のに少なくとも一つの液排出孔２１を設けることにより収容部３内の液体を排出する。液排出孔２１と収容部３は連通されている。液排出孔２１は下袋部２の角隅に設けられ、液注入孔１１の設置所とは対角関係である。液排出孔２１は必要に応じて異なる寸法または数量から選択することができるため、液体の排出速度を制御することができる。使用者は、植物養分用注入袋の下袋部２に、孔径の大きさ、数量及び設置所によって、前記液排出孔２１を開設することが出来る、従って、使用上の自由度と使用上の利便性を高めることができる。その中で、上袋部１及び下袋部２はプラスチック材で作成することが好ましい、これは、プラスチック材は植物養分用注入袋の変形性を上がるためである。
【００１３】
図４及び図５を参照すると、本考案の実施例１の植物養分用注入袋を鉢４に使用する場合、肥料５を注入した注入袋を鉢４の適宜なところに放置し、注入袋の下袋部２が土壌に向けるようにする。下袋部２は可撓性材料で作成され、可撓性材料の変形性により、下袋部２が鉢４の土壌の表面に付き合うように鉢４の土壌の表面に合って、下袋部２と土壌の表面との接触面積を大きくして養分の供給速度を提高する。次に、図５に示すように、液体注入器の尖がった嘴部(図示せず)を利用して蓋部１２を押し開け、そして液注入孔１１に深く入れ、さらに液体を収容部３の内に適当量に注入する場合、蓋部１２は支持部１３により自動的に復位し、そして液注入孔１１を封止する。それから、収容部３の底部の液排出孔２１によって収容部３の液体の排出速度を緩やかにすることにより、収容部３内の液体は肥料５を十分溶解し、そして肥料５を溶解した液体を収容部３から排出し、さらに鉢４の中に滲み込ませる。
【００１４】
なお、本考案の実施例１の植物養分用注入袋も自然界の雨水を利用して液注入孔１１と蓋部１２との間の隙間から収容部３に流れ込ませることにより肥料５を分解するため、使用上の自由度と利便性を高めることができる。
【００１５】
図６を参照すると、本考案の実施例２の植物養分用注入袋が掲示される。実施例１において、下袋部２に複数個の液排出孔２１が設けられ、液排出孔２１は平均的にに下袋部２に分布され、液注入孔１１は液排出孔２１の設置に対応して上袋部１の中央部に設置することにより、肥料５が下袋部２の液排出孔２１を介して鉢４の中に均一滲み込ませることにより、肥料５の養分がより速く植物に供給される。
【産業上の利用可能性】
【００１６】
上述の如く、従来の植物養分注入方式によれば、肥料５を直接土壌の表面にばら撒くため、蚊や虫などがわき、環境の品質が悪くなり、美観に影響を及ぼし、さらに植物の養分の供給量が少なくなるなどの問題があった。それに反して、本考案の植物養分用注入袋によれば、収容部３に肥料５を集中し、さらに植物養分用注入袋の液注入孔１１と液排出孔２１により肥料５を充分に溶解した後、鉢４に排出することにより、確実に環境の品質を高め、さらに植物の養分の供給量を高めることができる。
【００１７】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の特許請求の範囲に属するものとする。
【図面の簡単な説明】
【００１８】
【図１】従来の鉢の施肥方式を示す模式図である。
【図２】本考案の実施例１の植物養分用注入袋を示す斜視図である。
【図３】本考案の実施例１の植物養分用注入袋を示す断面図である。
【図４】本考案の実施例１の鉢と植物養分用注入袋の使用状態を示す斜視図である。
【図５】本考案の実施例１の鉢と植物養分用注入袋の使用状態を示す断面図である。
【図６】本考案の実施例２の植物養分用注入袋を示す斜視図である。
【符号の説明】
【００１９】
１        上袋部
１１      液注入孔
１２      蓋部
１３      支持部
１４      網
２        下袋部
２１      液排出孔
３        収容部
４        鉢
５        肥料
９        肥料
【図１】
0003143295.tif 000003
【図２】
0003143295.tif 000004
【図３】
0003143295.tif 000005
【図４】
0003143295.tif 000006
【図５】
0003143295.tif 000007
【図６】
0003143295.tif 000008